(57)【要約】【課題】  従来の固定部材は釘など剛体であった錆などによる耐久性に問題点があった。また固定のしかたも打ち付けるとかネジ込むとか単純なものだったが手間のかかるものだった。【解決手段】  本発明の固定部材は樹脂材で構成され、頭部と該頭部から帯状に延びて一面にラック歯３が形成された可撓性を有するバンド部とからなるロックバンド部材と、前記ラック歯３が係合される係合部７とを備えたロック部材とから構成され、  該ロック部材の前記挿通部は、第一挿通部９と第二挿通部１０が左右に設けられており、前記挿通部内には前記ラック歯３に係合される第一係合部１１と第二係合部１２が、それぞれ係合方向が逆向きに形成されていることを特徴とする固定部材。【選択図】図９
2019184040.tif 000002
【特許請求の範囲】
【請求項１】
複数の構造材を固定する固定部材であって、該固定部材は樹脂材で構成され、前記構造材の一面に当接する頭部と、該頭部から帯状に延びて一面にラック歯が形成された可撓性を有するバンド部とからなるロックバンド部材と、前記複数の構造材の他面側に配置されて前記構造材に形成された挿通穴を通して出てくる前記バンド部のラック歯が挿通される挿通部と、該挿通部内に形成され前記ラック歯が係合される係合部とを備えたロック部材とから構成された、固定部材。
【請求項２】
前記ロック部材の前記挿通部は、第一挿通部と第二挿通部が左右に設けられており、この第一挿通部と第二挿通部に形成されて前記ラック歯に係合される第一係合部と第二係合部は、それぞれ係合方向が逆向きに形成されていることを特徴とする請求項１記載の固定部材。
【発明の詳細な説明】
【技術分野】
【０００１】  構造材の固定部材に関する。
【発明の概要】
【発明が解決しようとする課題】
【０００２】  従来、接合物の固定はナット、釘などの剛体の固定部材で固定していたが、経年的劣化での傷などによる錆など酸化現象の誘発による、耐久性に問題点があった。また固定のしかたも打ち付けるとかネジ込むとか単純だが手間がかるし打ち付ける音もうるさいものだ。
可撓性のある固定部材なら固定に手間もかからんし作業は効率的で静かだ。
前記した剛体の固定部材に代えて可撓性のある固定部材を採用することが考えられるが、可撓性のある固定部材は存在しなかった。なお先行特許文献を調査したが関連する文献は抽出されなかった。
【課題を解決するための手段】
【０００３】  複数の構造材を固定する固定部材であって、該固定部材は樹脂材で構成され、前記構造材の一面に当接する頭部と、該頭部から帯状に延びて一面にラック歯３が形成された可撓性を有するバンド部とからなるロックバンド部材と、前記複数の構造材の他面側に配置されて前記構造材に形成された挿通穴１４を通して出てくる前記バンド部のラック歯３が挿通される挿通部６と、該挿通部内に形成され前記ラック歯３が係合される係合部７とを備えたロック部材とから構成されたことを特徴とする固定部材。【０００４】  該ロック部材の前記挿通部は、第一挿通部９と第二挿通部１０が左右に設けられており、この第一挿通部９と第二挿通部１０に形成されて前記ラック歯３に係合される第一係合部１１と第二係合部１２は、それぞれ係合方向が逆向きに形成されていることを特徴とする請求項１記載の固定部材。
【発明の効果】
【０００５】  本発明の固定部材は、可撓性のある樹脂材で構成するために経年的劣化で傷による錆など酸化現象が少なく、その耐久性効果が大きいという効果がある。
また複数の構造材１３を重ね合わして固定する際に、重ね合わされた部分に形成される挿通穴１４にロックバンド部材１のバンド部２を挿通して、このバンド部２をロック部材５に差し込む（図４の符号Ｚ）だけで固定ができるため、作業効率が高いという利点もある。
また本発明においては、ロック部材に形成される挿通部を第一挿通部９と第二挿通部１０の二つで構成しているため、複数の構造材１３を固定する固定部材１のバンド部２を使って複数の構造材１３を固定した状態でこの固定された構造材１３を柱部材１６に取り付けることができるようなる。つまり、二つの固定作業が一つの固定部材で同時にできるという利点がある。
【図面の簡単な説明】
【０００６】
【図１】  本発明の第一実施例の組立要領を示す斜視図
【図２】  本発明の第一実施例の組立要領を示す斜視図
【図３】  本発明の第一実施例の組立要領を示す斜視図
【図４】  本発明の第一実施例のロック部材の断面図
【図５】  本発明の第二実施例の組立要領を示す斜視図
【図６】  本発明の第二実施例の組立要領を示す斜視図
【図７】  本発明の第二実施例の組立要領を示す斜視図
【図８】  本発明の第二実施例の組立要領を示す平面図
【図９】  本発明の第二実施例のロック部材の断面図
【発明を実施するための形態】
【０００７】  本発明の第一実施例について図１〜図４に基づいて説明する。
本発明の固定部材は樹脂材で構成されるロックバンド部材１とロック部材５とで構成されている、そしてロックバンド部材１は固定する部材である構造材１３（例えば建築用のパネル材）の一面に当接する円形状の頭部４と該頭部から帯状に延びて一面にラック歯３が形成されたバンド部２とから構成されている。
【０００８】  一方ロック部材５は円形状で所定の厚みを有し前記ロックバンド部材１のバンド部２が挿通される挿通部６が形成されている、そしてこの挿通部６の内部には、前記バンド部２のラック歯３の歯面と係合する係合部７が形成されている。この係合部７は図４に示すように、鋸歯状の係合爪７ａが形成されており、この係合爪７ａは首部７ｂによって撓むように構成されている。
【０００９】  上記した構成によると、複数の構造材１３、例えば家の軒先きの庇のパネル材などを重ね合わせて固定する際は、まず前記構造材１３に挿通穴１４を形成する。そしてこの挿通穴１４にロックバンド部材１のバンド部２を通す（図４の符号Ｚ）。次に挿通穴１４から出て来たバンド部２にロック部材５の挿通部６を差し込んでいく（図４の符号Ｚ）、これによってバンド部２のラック歯３とロック部材５の挿通部６に形成された係合部７の係合爪７ａとが係合することで、複数の構造材１３が固定される。バンド部２の余部は切り落とすなどの処理をする。
【００１０】  本発明の第二実施例について図５〜図９に基づいて説明する。
第二実施例は、第一実施例に対してロックバンド部材１の構成は同じであるが、ロック部材５の構成が異なる、この第二実施例のロック部材５は、第一実施例のと同じ形状の第一ロック部材５ａとこの第一ロック部材５ａに重ね合わされる第二ロック部材５ｂで構成されている。
そして、この第二ロック部材５ｂは横向きの８の字形状とされて所定の厚みを有している。
また、第二ロック部材５ｂにはロックバンド部材１のバンド部２が挿通される、第一挿通部９と第二挿通部１０とが左右に設けられており、この第一挿通部９と第二挿通部１０内にはそれぞれ、前記バンド部２のラック歯３が係合される第一係合部１１と第二係合部１２とが形成されている。なお、この第一係合部１１と第二係合部１２は図９に示すように、係合爪１１ａ、１２ａの向きが逆方向となっている、この係合爪１１ａ、１２ａは、首部１１ｂ、１２ｂ、によって撓むように構成されている。
【００１１】  上記した構成によると、例えば家の庭の垣根を覆う塀を作る場合には、塀となる複数の構造材１３（例えば塀用のパネル材）を二枚重ね合わせて、この重ね合わせた重合部分に挿通穴１４を形成し、この挿通穴１４にロックバンド部材１のバンド部２を通す（図９の符号Ｙ）。次に挿通穴１４から出てきたバンド部２に第一ロック部材５の挿通部６および第二ロック部材５ｂの第一挿通部９とをそれぞれ差し込んでいく（図９の符号Ｙ）。これによってバンド部２のラック歯３と、第一ロック部材５ａの挿通部６に形成された係合爪７ａ及び第二ロック部材５ｂの第一挿通部９の第一係合部１１の係合爪１１ａとが係合する、ことで前記複数の構造材１３が固定される。なおこのラック歯３と、係合爪７ａ、係合爪１２ａとは一方向には係合することなく移動可能であるが、他方向にはラック歯３と、係合爪７ａ、係合爪１１ａとが噛み合って移動不可となる。この係合爪７ａ、１１ａは首部７ｂ、１１ｂによって撓むように構成されている。
【００１２】  次に二枚の構造材１３を固定した状態で、例えば家の垣根に立つ柱部材１６に固定する方法を説明する。前記固定された状態構造材１３から飛び出しているバンド部２を前記柱部材１６に巻き付けた状態から前記した第二ロック部材５ｂのもう一方の第二挿通部１０にバンド部の先端を差し込んでいく（図９の符号Ｘ）。このときバンド部２を強く引っ張っていくことでバンド部２のラック歯３と第二挿通部１０内の第二係合部１２の係合爪１２ａが噛み合ってしっかりと固定できる。
【００１３】  上記した実施例ではロック部材５を第一ロック部材５ａと第二ロック部材５ｂとで構成して説明したが第一ロック部材５ａと第二ロック部材５ｂを一体成形しても良いものである。
【符号の説明】
【００１４】  １    ロックバンド部材
２    バンド部
３    ラック歯
４    頭部
５    ロック部材
５ａ  第一ロック部材
５ｂ  第二ロック部材
６    挿通部
７    係合部
９    第一挿通部
１０    第二挿通部
１１    第一係合部
１２    第二係合部
１３    構造材
１４    挿通穴
１６    柱部材
【図１】
2019184040.tif 000003
【図２】
2019184040.tif 000004
【図３】
2019184040.tif 000005
【図４】
2019184040.tif 000006
【図５】
2019184040.tif 000007
【図６】
2019184040.tif 000008
【図７】
2019184040.tif 000009
【図８】
2019184040.tif 000010
【図９】
2019184040.tif 000011
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
複数の構造材を固定する固定部材であって、該固定部材は樹脂材で構成され、前記構造材の一面に当接する頭部と、該頭部から帯状に延びて一面にラック歯が形成された可撓性を有するバンド部とからなるロックバンド部材と、前記複数の構造材の他面側に配置されて前記構造材に形成された挿通穴を通して出てくる前記バンド部のラック歯が挿通される第一挿通部と、該第一挿通部内に形成され前記ラック歯が係合される第一係合部と、この第一挿通部に隣接した第二挿通部と、該第二挿通部内に形成され前記ラック歯が係合される第二係合部とを備えたロック部材とから構成されると共に、前記ロックバンド部材の前記バンド部は前記第一挿通部から出てきた状態で前記構造材以外の他の部材に取り付けて前記第二挿通部に挿通されて、前記ロック部材と前記構造材の他面との間に形成された所定の隙間から引き出されている事を特徴とする固定部材。
【請求項２】
前記ロック部材の前記挿通部は、第一挿通部と第二挿通部が左右に設けられており、この第一挿通部と第二挿通部に形成されて前記ラック歯に係合される第一係合部と第二係合部は、それぞれ係合方向が逆向きに形成されていることを特徴とする請求項１記載の固定部材。